【事件の表示】
　特願２０００−３８６３０８「遊技装置」拒絶査定不服審判事件〔平成１３年　７月３１日出願公開、特開２００１−２０４９５０〕について、次のとおり審決する。
【結　論】
　本件審判の請求は、成り立たない。
【理　由】
第１，手続きの経緯
　本願は、平成５年１２月２０日に出願した特願平５−３４４９０５号の一部を平成１２年１２月２０日に新たな出願としたものであって、平成１７年２月１７日付けで拒絶査定がなされ、これに対し、同年３月３１日に拒絶査定に対する審判請求がなされるとともに同年４月２８日付けで手続補正がなされたものである。
　
第２，本願発明
　本願の請求項１に係る発明は、上記平成１７年４月２８日付けで補正された明細書の記載からみて、その特許請求の範囲の請求項１に記載された、次のとおりのものである。
　「コントロール基板により遊技動作が制御される遊技部と、該遊技部の前面を覆うように配置された表示窓と、パチンコ玉を借り受けるためのカードをカード投入口に投入した状態で操作し得る玉貸し手段等の操作部を備えた操作表示領域と、を備えた遊技装置であって、
　前記表示窓の一側側方であって前記操作表示領域の一角に遊技内容に関する情報を表示し得る情報表示装置を設け、
　該情報表示装置は、その表示画面の左右上下端全域が前記操作表示領域よりも前方であって前記表示窓よりも前方に突出して設けられ且つ該表示画面の上下方向が垂直面で前後方向が遊技者側に向くような傾斜面となるように表示画面の左右の一側側辺が延出して取り付けられていることを特徴とする遊技装置。」（以下「本願発明」という。）
　
第３，原査定の拒絶理由通知に引用された刊行物、及び周知技術を示す刊行物に記載された発明
　刊行物Ａ：特開平４−７３０８０号公報
　周知技術を示す刊行物ア：特開昭５４−４６２９号公報
　周知技術を示す刊行物イ：特開平１−２６６０２４号公報
　
　特開平４−７３０８０号公報（以下「引用刊行物Ａ」という。）には、次の事項が記載されている。
　（Ａ−１）第１頁右下欄第１行乃至第５行には、「本発明はパチンコ機あるいはアレンジボール、スロットマシン等の遊技機を用いた遊技システムに関し、特に金銭と交換されたカードによって遊技が可能となるようにされた遊技システムにおける管理装置に利用して有効な技術に関する。」と、
　（Ａ−２）第５頁左下欄第１８行乃至第６頁左下欄第３行には、「この実施例の遊技機はパチンコ機１００と、該パチンコ機と１対１で対応されて遊技機本体上方の島設備等に配置され、主として表示器とカードリーダに関する制御と遊技中の稼動データの収集を司る制御ユニット１６０とにより構成される。
　・・・パチンコ機１００の下部には、封入球を一個ずつ遊技領域内に発射する打球発射装置１０３とその操作ダイヤル１０４が設けられており、また、操作ダイヤル１０４の上方には、前記カードを使用した遊技開始の手続きを可能にするための金額表示器１１１、玉数表示器１１２、購入スイッチ１１３、中断スイッチ１１４、終了スイッチ１１５、遊技状態表示器１１６等を備えた操作パネル１１０が設けられている。パチンコ機前面の遊技領域の構成は従来のものと同じである。購入スイッチ１１３は、制御ユニット１６０に内蔵されたカードリーダ８００へのカードの挿入を前提としてカードの有する金額の範囲内で、２００円等の単位でこれを遊技球に変換するための指示スイッチで、変換された遊技球が持玉数となる。カードの残り金額は、１００円を１単位とする度数で金額表示器１１１に表示されるとともに、変換された持玉数は玉数表示器１１２に表示され、打球発射装置１０３により遊技球一つ発射されるごとに持玉数が一つ減算され、入賞球が発生すると賞品玉数の分だけ加算表示される。終了スイッチ１１５は遊技者が遊技を終了させたくなったとき（遊技台を変更したい場合を含む）にいつでもこれをオンさせることで、使用中のカードを制御ユニット１６０より排出させることができる。そのときユニットコントローラ１９０はその時点で遊技客の残金額と持玉数（購入玉と獲得球の和）を、管理装置４００のファイル内に登録してからカードをカードリーダ８００の挿排口８０２ａより排出する。また、中断スイッチ１１４は、遊技者が現在遊技中の遊技機での遊技を止める意思はないが、休憩のため一時的に遊技を中断させるために使用するスイッチで、このスイッチが操作されると、ユニットコントローラ１９０は一旦カードを排出して再び同一カードが挿入されるまで待機状態となり、その間他のカードを受け付けないようになる。・・・
　操作パネル１１０は第４図に示すように、パチンコ機１００の下部の開閉可能な前面パネル１０５に装着され、かつ断面三角形の中空状をなし、上面が前方に向かって下り傾斜されることにより表示が読取り易いようになっている、操作パネル１１０の内側には、表示面１１０ａと平行に配線基板１２０Ａ、１２０Ｂが配設され、この基板１２０Ａ上に７セグメント型ＬＥＤからなる金額表示器１１１と玉数表示器１１２が、また基板１２０Ｂ上に上記各スイッチ１１３〜１１５と内蔵ランプが取り付けられ、表示プレート１１７で覆われている。この表示プレート１１７の上記表示器１１１，１１２に対応する部位は透明な窓部１１７ａとされ、スイッチ１１３〜１１５に対応する部位は開口部１１７ｂとされている（第５図参照）。」と、
　（Ａ−３）第８頁右上欄第６行乃至左下欄第５行には、「・・・前面枠１０８内の上記前面パネル１０５上方には、ガラス枠１５４が同じく開閉可能に取り付けられている。・・・
　この前面枠１０８の裏面に、遊技盤を保持したフレーム１０６（第１１図参照）とフレームボード１０９を、前面枠裏面の嵌合受部１０８ｂにフレーム裏面の嵌合突起１０６ｂ、フレームボード裏面の嵌合突起１０９ｂを一致させるようにして接合させ、ネジ止めすることにより前面枠１０８と遊技盤を保持したフレーム１０６とフレームボード１０９とが一体化される。
　第１３図はこのようにして前面枠１０８の裏面にフレーム１０６とフレームボード１０９を取り付けた状態を示しており、フレーム１０６に保持された遊技盤の裏面には・・・」と、それぞれ記載されている。
　
　また、図面、特に遊技システムを構成するパチンコ機全体の構成例を示す斜視図である第３図、パチンコ機前面の操作パネル部の構成例を示す断面側面図である第４図（Ａ）、（Ｂ）、操作パネル部の分解斜視図である第５図、パチンコ機の前面パネルを開いた状態を示す斜視図である第１０図に示された事項を併せると、「操作パネル１１０に備えられた金額表示器１１１及び玉数表示器１１２は、前記ガラス枠１５４よりも前方に突出して設けられ」の技術事項が示されている。さらに、パチンコ機と制御ユニットの取付位置関係を示す斜視図である第１７図、島設備にパチンコ機と制御ユニットを設置した状態を示す斜視図である第１９図に示された事項を併せると、「パチンコ機１００上方の制御ユニット１６０」の技術事項が示されている。
　
　したがって、これらの図面に示された事項と上記（Ａ−１）乃至（Ａ−３）の記載事項と併せると、引用刊行物Ａには、　
「前面枠１０８の裏面に遊技盤が保持され、前面枠１０８内の前面パネル１０５上方にはガラス枠１５４が取り付けられ、
　封入球を一個ずつ遊技領域内に発射する操作ダイヤル１０４の上方には、金額表示器１１１、玉数表示器１１２、購入スイッチ１１３、中断スイッチ１１４、終了スイッチ１１５、遊技状態表示器１１６等を備えた操作パネル１１０が設けられているパチンコ機１００であって、
　購入スイッチ１１３は、パチンコ機１００上方の制御ユニット１６０に内蔵されたカードリーダ８００へのカードの挿入を前提としてカードの有する金額の範囲内で遊技球に変換するための指示スイッチであり、
　カードの残り金額は、１００円を１単位とする度数で７セグメント型ＬＥＤからなる金額表示器１１１に表示され、
　遊技客の持玉数（購入玉と獲得球の和）は７セグメント型ＬＥＤからなる玉数表示器１１２に表示され、
　終了スイッチ１１５は遊技者が遊技を終了させたくなったときにオンさせることで、使用中のカードを制御ユニット１６０に内蔵されたカードリーダ８００の挿排口８０２ａより排出させることができ、
　中断スイッチ１１４は、遊技者が一時的に遊技を中断させるために使用するスイッチであり、
　操作パネル１１０に備えられた金額表示器１１１及び玉数表示器１１２は、前記ガラス枠１５４よりも前方に突出して設けられ且つ表示面１１０ａと平行に取り付けられ、
　操作パネル１１０は、パチンコ機１００の下部の開閉可能な前面パネル１０５に装着され、かつ断面三角形の中空状をなし、上面が前方に向かって下り傾斜されることにより表示が読取り易いようになっている、
　パチンコ機１００。」の発明（以下「引用発明Ａ」という。）が記載されていると認められる。
　
　本願出願前に頒布された特開昭５４−４６２９号公報（以下、「周知刊行物ア」という。）には、次の事項が記載されている。
　（ア−１）第２頁左上欄第８行乃至第１４行には、「パチンコ機１の横に設置した制御盤３上の各種装置を操作することにより遊技者は・・一定のゲームを楽しむことができる。
　制御盤３には賭け番号表示器４、賭け球数表示器５、賭け球数投入口６、賭け意志表示スイッチ７、払いもどし球出口８、キーボード９、賭け成立表示ランプ１０が設置される。」と、
　（ア−２）第２頁左下欄第２０行乃至右下欄第１１行には、「・・・この状態を見て遊技者が遊技をする意志があれば表示スイッチ７をオンとし、ついでキーボード９を操作して、・・・その番号をインプツトする。この入力は・・・賭け番号表示器４で番号表示される。つぎに、賭けるべきパチンコ球を投入口６に投入すると、このパチンコ球の球数は・・・賭け球数表示器５で表示される。」と、それぞれ記載されている。
 
　また、簡略構成図である第１図には「パチンコ機１の横に設置される制御盤３は、該制御盤３表面がパチンコ機１の表面よりも前方に突出して設けられ且つ該制御盤３表面の上下方向が垂直面で前後方向が傾斜面となるように該表面の左右の一側側辺が延出して取り付けられている」様子が示されている。
　
　したがって、（ア−１）及び（ア−２）記載の事項と、図面に示された事項とを併せると、周知刊行物アには、
　「パチンコ機１の横に、番号を表示する賭け番号表示器４と投入されたパチンコ球数を表示する賭け球数表示器５とを設け、賭け番号表示器４及び賭け球数表示器５は、その表示面部の上下方向が垂直面で前後方向が遊技者側に向くような傾斜面となるように取り付けられている、パチンコ機１。」の発明（以下「周知発明ア」という。）が、記載されていると認められる。
　　
　本願出願前に頒布された特開平１−２６６０２４号公報（以下「周知刊行物イ」という。）には、次の事項が記載されている。
　（イ−１）第２頁左下欄第２０行乃至右下欄第４行には、「本発明の目的は上記の問題を解決し、常に表示面を運転席または助手席の任意の方向に対向させ得る構造として表示面を見易すくすると共に、・・・自動車用情報表示装置を提供することにある。」と、
　（イ−２）第３頁左上欄第３行乃至右上欄第２行には、「〔作用〕
　上記電子表示部は上記インストルメントパネル内に収納されている時の表示面の状態が水平もしくは垂直であり、これを前方に引出す場合はそのままの状態で摺動させ、しかる後に表示面の角度を所定の角度、すなわち運転者あるいは助手席者側に対向させるように適宜傾斜回動させる。この時、回動機構にクリック機能を備えることにより、表示面は任意の傾斜角と左右の回転角に固定静止させることができるので、この種の表示装置特有の視角特性を大幅に改善することができる。
・・・
　インストルメントパネル１には車速、走行距離等を表示する計器盤２、および表示される地図データ上に車の走行軌跡その他の情報を表示する液晶パネル６を含む電子表示部３が設けられている。」と、
　（イ−３）第４頁左上欄第８行乃至第１２行には、「以上説明したように、本発明からなる表示装置は液晶パネル６からなる表示面を任意の傾斜角並びに左右の回転角位置に静止させることができるので、運転者または助手席者は表示面を常に正面から見ることが可能となる。」と、それぞれ記載されている。
　
　また、第１図には、「計器盤２の側方に設けられている電子表示部３」が示されている。
　　
　したがって、（イ−１）乃至（イ−３）に記載された事項と、図面に示された事項とを併せると、周知刊行物イには、　
「車速、走行距離等を表示する計器盤２の側方に、車の走行軌跡その他の情報を表示する液晶パネル６を含む電子表示部３が設けられ、
　該電子表示部３は、収納されている時の表示面の状態が垂直であり、これを前方に引出す場合はそのままの状態で摺動させ、しかる後に表示面の角度を所定の角度、すなわち運転者あるいは助手席者側に対向させるように適宜傾斜回動させて表示面を見易すくする、自動車用情報表示装置。」の発明（以下「周知発明イ」という。）が記載されていると認められる。
　　
第４，本願発明と引用発明Ａとの比較・検討　
　（４−１）引用発明Ａの「遊技盤」は本願発明の「遊技部」に相当し、以下同様に「ガラス枠１５４」は「表示窓」に、「カード」は「カード」に、「カードリーダ８００の挿排口８０２ａ」は「カード投入口」に、「操作パネル１１０」は「操作表示領域」に、「パチンコ機１００」は「遊技装置」に、「金額表示器１１１及び玉数表示器１１２」は「遊技内容に関する情報を表示し得る情報表示装置」に、それぞれ相当する。
　（４−２）引用発明Ａの「購入スイッチ１１３、中断スイッチ１１４、終了スイッチ１１５等を備えた操作パネル１１０が設けられているパチンコ機１００」について検討すると、購入スイッチ１１３は、「カードリーダ８００へのカードの挿入を前提としてカードの有する金額の範囲内で遊技球に変換するための指示スイッチ」であり、また終了スイッチ１１５は、「遊技者が遊技を終了させたくなったときにオンさせることで、使用中のカードをカードリーダ８００の挿排口８０２ａより排出させることができ」るものであり、さらに操作パネル１１０は、前記購入スイッチ１１３及び終了スイッチ１１５に加えて、遊技者が一時的に遊技を中断させるために使用する中断スイッチ１１４を備えているから、引用発明Ａの上記「購入スイッチ１１３、中断スイッチ１１４、終了スイッチ１１５等を備えた操作パネル１１０が設けられているパチンコ機１００」は「パチンコ玉を借り受けるためのカードをカード投入口に投入した状態で操作し得る玉貸し手段等の操作部を備えた操作表示領域を備えた遊技装置」ということができる。
　（４−３）引用発明Ａの「前面枠１０８内の前面パネル１０５上方にはガラス枠１５４が取り付けられ」及び「金額表示器１１１、玉数表示器１１２を備えた操作パネル１１０」並びに「操作パネル１１０は、パチンコ機１００の下部の開閉可能な前面パネル１０５に装着され」との技術事項の総和と、本願発明の「表示窓の一側側方であって操作表示領域の一角に遊技内容に関する情報を表示し得る情報表示装置を設け」との技術事項とを比較すると、「表示窓の近傍に遊技内容に関する情報を表示し得る情報表示装置を設け」との技術事項において一致している。
　（４−４）引用発明Ａの「７セグメント型ＬＥＤからなる金額表示器１１１、７セグメント型ＬＥＤからなる玉数表示器１１２」及び「操作パネル１１０に備えられた金額表示器１１１及び玉数表示器１１２は、前記ガラス枠１５４よりも前方に突出して設けられ且つ表示面１１０ａと平行に取り付けられ」並びに「操作パネル１１０は、パチンコ機１００の下部の開閉可能な前面パネル１０５に装着され、かつ断面三角形の中空状をなし、上面が前方に向かって下り傾斜されることにより表示が読取り易いようになっている」との技術事項の総和と、本願発明の「情報表示装置は、その表示画面の左右上下端全域が前記操作表示領域よりも前方であって前記表示窓よりも前方に突出して設けられ且つ該表示画面の上下方向が垂直面で前後方向が遊技者側に向くような傾斜面となるように表示画面の左右の一側側辺が延出して取り付けられている」との技術事項とを比較すると、引用発明Ａの「７セグメント型ＬＥＤからなる金額表示器１１１」及び「７セグメント型ＬＥＤからなる玉数表示器１１２」が「表示面部」及び「左右上下端」をそれぞれ備えることは構成上明らかであるから、「情報表示装置は、その表示面部の左右上下端全域が前記表示窓よりも前方に突出して設けられ且つ該表示面部が遊技者側に向くような傾斜面となるように取り付けられている」において一致している。
　
　そして、遊技部が「コントロール基板により遊技動作が制御される」こと、及び表示窓が「遊技部の前面を覆うように配置され」ることは、遊技装置の技術分野においては明らかな事項であることを考慮すると、両者の一致点及び相違点は次のとおりである。
　
　一致点
　コントロール基板により遊技動作が制御される遊技部と、該遊技部の前面を覆うように配置された表示窓と、パチンコ玉を借り受けるためのカードをカード投入口に投入した状態で操作し得る玉貸し手段等の操作部を備えた操作表示領域と、を備えた遊技装置であって、
　前記表示窓の近傍に遊技内容に関する情報を表示し得る情報表示装置を設け、
　該情報表示装置は、その表示面部の左右上下端全域が前記表示窓よりも前方に突出して設けられ且つ該表示面部が遊技者側に向くような傾斜面となるように取り付けられていることを特徴とする遊技装置。
　
　相違点（１）
　情報表示装置の表示面部が本願発明では、表示画面であるのに対し、引用発明Ａでは、７セグメント型ＬＥＤからなる点
　相違点（２）
　情報表示装置が本願発明では、表示窓の一側側方であって操作表示領域の一角に設けられ、その表示画面の左右上下端全域が前記操作表示領域よりも前方であって且つ該表示画面の上下方向が垂直面で前後方向が傾斜面となるように表示画面の左右の一側側辺が延出して取り付けられているのに対し、引用発明Ａでは、操作表示領域に設けられ、その表示面部の上下方向が傾斜面となるように取り付けられている点
　
　そこで、上記相違点について検討する。
　相違点（１）について
　遊技装置において表示画面を用いて情報を表示することは、例えば、数字や図柄等を変動表示する液晶表示装置や陰極線管表示装置のように、周知の技術であるから、相違点（１）に係る構成とすることは、周知の技術に基づいて当業者が容易になし得たものである。
　相違点（２）について
　情報表示装置を情報表示利用者の正面側方に設け、その表示面部の上下方向が垂直面で前後方向が傾斜面となるように取り付ける技術は、例えば、周知発明アにおける「賭け番号表示器４及び賭け球数表示器５」、及び周知発明イにおける「垂直のままの状態で摺動させ、しかる後に適宜傾斜回動させる電子表示部３」に示されているように、情報表示技術としては周知の技術である。そして、情報を画面で表示することも、上記「相違点（１）について」に記載したように周知の技術であり、情報表示装置及びその表示画面を、被取付部材に対し具体的にどのように取り付けるかは、表示の見易さや、他の構成部材との配置等を考慮して、当業者が適宜なし得る設計上の事項であるから、情報表示装置及びその表示画面の取付位置を相違点（２）記載のように限定することは、周知の技術に基づいて当業者が容易になし得たものである。　
　
　そして、本願発明の効果においても、引用発明Ａは「表示が読取り易いようになっている」ものであるから、格別のものは認められない。　
　
　したがって、本願発明は、引用発明Ａ及び周知の技術に基づいて当業者が容易に発明をすることができたものである。
　
第５，むすび
　以上のとおり、本願発明は、引用発明Ａ及び周知の技術に基づいて当業者が容易に発明をすることができたものであるから、本願は、特許法第２９条第２項の規定により、特許を受けることができない。
　よって、結論のとおり審決する。